(57)【要約】【課題】  電子ペーパの搬送の際に電子ペーパの表裏面に擦り傷等が生じないようにした電子ペーパプリンタを提供する。【解決手段】  電子ペーパプリンタ１は、メモリ性を有する電子ペーパ１０を垂直姿勢から水平姿勢へと姿勢を変換する第１の搬送部２０と、第１の搬送部２０によって書込み位置に搬送された電子ペーパ１０に露光を行って画像を書き込む露光装置３０と、画像が書き込まれた電子ペーパ１０をトレイ４０に排出する第２の搬送部３３とを備える。電子ペーパ１０は、第１の搬送部２０によって１枚ずつ垂直姿勢から露光部３２上へ倒れこんむようにして搬入されるため、露光部３２への搬入に際して電子ペーパ１０の表裏面に汚れや擦れによる疵の発生を無くすることができる。【選択図】      図１
2005309017.tif 000002
【特許請求の範囲】
【請求項１】
画像の書き換えが可能で、無電源で画像を可視表示可能な表示媒体を第１の姿勢から第２の姿勢に姿勢を変換する姿勢変換部と、
前記第２の姿勢に変換された前記表示媒体に画像を書き込む書込み部とを備えたことを特徴とする画像書込装置。
【請求項２】
前記姿勢変換部は、前記第１の姿勢として鉛直姿勢から前記第２の姿勢として水平姿勢に姿勢を変換することを特徴とする請求項１記載の画像書込装置。
【請求項３】
前記姿勢変換部は、前記鉛直姿勢の前記表示媒体の下端、あるいはこの近傍を中心に前記水平姿勢に姿勢を変換することを特徴とする請求項２記載の画像書込装置。
【請求項４】
前記姿勢変換部は、前記鉛直姿勢の前記表示媒体を押圧して前記水平姿勢に姿勢を変換する押圧部を備えたことを特徴とする請求項２記載の画像書込装置。
【請求項５】
前記姿勢変換部は、前記鉛直姿勢の複数の前記表示媒体を前記画像が書き込まれる位置に向けて水平方向に押圧することにより、前記複数の表示媒体を１枚ずつ前記鉛直姿勢から前記水平姿勢に姿勢を変換する押圧部を備えたことを特徴とする請求項２記載の画像書込装置。
【請求項６】
前記押圧部は、互いに平行に配置され、外周面側に前記複数の表示媒体を所定の間隔を設けて嵌入して保持する複数の凹部を有する一対の無端状搬送部材と、
前記一対の無端状搬送部材が張架された複数の回転体と、
前記複数の回転体を駆動するモータとを備えたことを特徴とする請求項５記載の画像書込装置。
【請求項７】
前記押圧部は、前記複数の表示媒体が載置される無端状搬送部材と、
前記無端状搬送部材の上面が前記画像の書込み位置に向かうに従って傾斜するように前記無端状搬送部材が張架された複数の回転体と、
前記複数の回転体を駆動するモータと、
前記複数の表示媒体のうち最前面の前記表示媒体に対しては非拘束にし、後続の前記表示媒体に対しては上端部を拘束するストッパとを備えたことを特徴とする請求項５記載の画像書込装置。
【請求項８】
前記表示媒体は、表裏面の一方に画像光が照射される書込み領域を有し、
前記書込み部は、書込み位置に配置された前記画像光の出射面と、
前記姿勢変換部による姿勢変換によって前記書込み位置に位置された前記表示媒体を前記出射面に押圧する押圧部と、
前記出射面に押圧された前記表示媒体の前記書込み領域に前記出射面から前記画像光を照射して前記画像を書き込む露光部とを備えたことを特徴とする請求項１記載の画像書込装置。
【請求項９】
前記露光部は、液晶ディスプレイであることを特徴とする請求項８記載の画像書込装置。
【請求項１０】
前記押圧部は、前記画像が書き込まれた前記表示媒体を排出する排出ローラを兼ねたことを特徴とする請求項８記載の画像書込装置。
【請求項１１】
前記押圧部は、前記表示媒体が前記第１の姿勢にあるときは前記書込み位置上から退避し、前記表示媒体が前記第２の姿勢に変換された後に前記表示媒体の周辺部を押圧する可倒式の搬送ローラを備えたことを特徴とする請求項８記載の画像書込装置。
【請求項１２】
前記表示媒体は、表裏面の一方に画像光が照射される書込み領域を有し、
前記書込み部は、前記姿勢変換部によって前記第２の姿勢に姿勢が変換された前記表示媒体から離れた場所から前記表示媒体の前記書込み領域に画像光を照射して前記画像を書き込む露光部を備えたことを特徴とする請求項１記載の画像書込装置。
【請求項１３】
前記露光部は、プロジェクタであることを特徴とする請求項１２記載の画像書込装置。
【請求項１４】
前記露光部は、前記表示媒体が当接するように前記画像が書き込まれる位置に設けられ、前記押圧部との間に前記表示媒体を挟持する被押圧板を備えたことを特徴とする請求項８記載の画像書込装置。
【請求項１５】
前記書込み部は、前記画像が書き込まれる位置に前記表示媒体を位置決めする位置決め部材を備えたことを特徴とする請求項１記載の画像書込装置。
【請求項１６】
画像の書き換えが可能で、無電源で画像を可視表示可能な第１の姿勢の表示媒体に画像を書き込む書込み部と、
前記画像が書き込まれた前記第１の姿勢の前記表示媒体を第２の姿勢に姿勢を変換する姿勢変換部とを備えたことを特徴とする画像書込装置。
【請求項１７】
前記姿勢変換部は、前記第１の姿勢として鉛直姿勢から前記第２の姿勢として水平姿勢に姿勢を変換することを特徴とする請求項１６記載の画像書込装置。
【発明の詳細な説明】
【技術分野】
【０００１】
本発明は、画像の書き換えが可能で、無電源で画像を可視表示可能な表示媒体に画像を書き込む画像書込装置に関し、特に、表示媒体の搬送の際に表示媒体の表裏面に擦り傷等が生じないようにした画像書込装置に関する。
【背景技術】
【０００２】
近年、表示記録媒体として、紙媒体や電子ディスプレイデバイスの他に、電子ディスプレイの長所と紙の長所を併せ持った電子ぺーパあるいはデジタルペーパと称せられる表示記録媒体が注目されている。
【０００３】
この表示記録媒体は、表示に関してメモリ性を有することから、情報の書き換え時のみ駆動装置あるいは外部の情報書込装置により、書込みのためのエネルギーを与えるだけで良く、表示を維持するためのエネルギーの印加は不要である。従って、情報の書込み後に画像書込装置から表示記録媒体のみを取り出して、紙媒体のように手軽に持ち運んだり、重ねたり、並べたり、手に持って情報を読むことができる。
【０００４】
上記のようなメモリ性を有する表示記録媒体として、電圧の印加と光の照射によって画像が可視的かつ消去自在にメモリされる光書込型表示記録媒体、およびこの表示記録媒体に画像を書き込む画像書込装置が知られている（例えば、特許文献１参照）。
【０００５】
この特許文献１に記載された表示記録媒体は、一対の透明電極間に、液晶層と、光の照射によって抵抗値が変化する光導電層とが積層されたものである。また、その表示記録媒体に画像を書き込む装置は、格納部から搬送されてきた表示記録媒体を液晶光出力デバイスの表面に密着させ、この状態のままバックライトにより背面から照明されている液晶光出力デバイスに画像を表示すると共にその画像光を表示記録媒体の光導電層に照射し、光導電層に光パターンに基づく抵抗分布を生じさせ、透明電極間に電圧を印加して、光導電層の抵抗分布に基づく分圧分布を液晶層に印加し、分圧分布に応じた画像を液晶層に記録するものである。
【特許文献１】特開２００１−３０１２３３号公報（［００４４］〜［００４７］および図４）
【発明の開示】
【発明が解決しようとする課題】
【０００６】
しかし、従来の表示記録媒体によると、複数枚の表示記録媒体を重ねてトレイに収納しておき、このトレイ内の複数枚の表示記録媒体の最下段から１枚毎に書込み位置へ搬送して書込みを行おうとすると、トレイから抜き出し中の表示記録媒体とトレイ内の下から２枚目の表示記録媒体とが擦りあう状態を生じ、表裏面に擦り傷が生じる。表示記録媒体はリライタブルであるため、画像書込装置に通す回数が増えると、擦り傷等による汚れの影響が無視できなくなり、表示記録媒体同士の密着によって、ジャム（ＪＡＭ）を生じさせるケースが多くなる。
【０００７】
従って、本発明の目的は、画像の書き換えが可能で、無電源で画像を可視表示可能な表示媒体の搬送の際に表示媒体の表裏面に擦り傷等が生じないようにした画像書込装置を提供することにある。
【課題を解決するための手段】
【０００８】
本発明は、上記目的を達成するため、画像の書き換えが可能で、無電源で画像を可視表示可能な表示媒体を第１の姿勢から第２の姿勢に姿勢を変換する姿勢変換部と、前記第２の姿勢に変換された前記表示媒体に画像を書き込む書込み部とを備えたことを特徴とする画像書込装置を提供する。
【０００９】
本発明は、上記目的を達成するため、画像の書き換えが可能で、無電源で画像を可視表示可能な第１の姿勢の表示媒体に画像を書き込む書込み部と、前記画像が書き込まれた前記第１の姿勢の前記表示媒体を第２の姿勢に姿勢を変換する姿勢変換部とを備えたことを特徴とする画像書込装置を提供する。
【発明の効果】
【００１０】
本発明の画像書込装置によれば、表示媒体の姿勢を変換するだけなので、表示媒体の搬送の際に表示媒体の表裏面に擦り傷等が生じないようにすることができる。
【発明を実施するための最良の形態】
【００１１】
［第１の実施の形態］
図１は、本発明の第１の実施の形態に係る画像書込装置としての電子ペーパプリンタ（以下、単に「プリンタ」ともいう。）の構成を示す正面断面図である。
【００１２】
（電子ペーパプリンタの構成）
プリンタ１は、複数枚の表示記録媒体としての電子ペーパ１０を縦位置（鉛直姿勢）にしたままま収納すると共に１枚ずつ水平姿勢に姿勢を変換して供給する姿勢変換部としての第１の搬送部２０と、この第１の搬送部２０から供給された１枚の電子ペーパ１０に光学的に画像を書き込む露光装置３０と、露光装置３０から排出された電子ペーパ１０を収納するトレイ４０とを備えて構成されている。ここで、「鉛直姿勢」には、鉛直方向の姿勢の他、鉛直方向から±３０°の範囲の姿勢も含まれるものとする。これと同様に、「水平姿勢」には、水平方向の姿勢の他、水平方向から±３０°の範囲の姿勢も含まれるものとする。
【００１３】
第１の搬送部２０は、複数枚の電子ペーパ１０の下面を載せた状態で回転するベルト２１と、このベルト２１の少なくとも上面に膨出面を形成しながらベルト２１を回転させる複数のローラ２２Ａ〜２２Ｇと、複数枚の電子ペーパ１０の背面を押圧する押圧板２３と、この押圧板２３を駆動するエアシリンダ２４と、複数枚の電子ペーパ１０の前面から２枚目以降を係止する第１のストッパ２５とを備えて構成されている。押圧板２３とエアシリンダ２４により押圧部が構成される。
【００１４】
なお、図１において、ベルト２１を楕円形に張架したが、複数のローラを上下２列に平行配置し、これらローラにベルト２１を張架する構成であってもよい。
【００１５】
（露光装置の構成）
露光装置３０は、本体３１と、電子ペーパ１０に露光を行う露光部３２と、電子ペーパ１０を書込み位置へ搬入すると共に書込み後の電子ペーパ１０をトレイ４０側へ排出させる第２の搬送部３３とを備えて構成されている。更に、露光装置３０は、電子ペーパ１０に所定の電圧を印加するためのパルス電源回路、書込み処理を実行する制御部、画像データが格納された記憶部等（いずれも図示せず。）を備えている。
【００１６】
露光部３２は、画像光を生成する液晶ディスプレイ３２Ａと、この液晶ディスプレイ３２Ａを背面から照明するバックライト３２Ｂとを備える。また、バックライト３２Ｂには、冷陰極管、白色ＬＥＤ（発光ダイオード）、ＥＬ（エレクトローラミネッセンス）などを用いることができる。
【００１７】
第２の搬送部３３は、露光装置３０上に供給された電子ペーパ１０を押圧可能に電子ペーパ１０の前後および両側に配置された可倒式従動ローラ列３４，３５と、可倒式従動ローラ列３４，３５に対向可能に配設された駆動ローラ３６，３７と、第１の搬送部２０から供給された電子ペーパ１０を書込み位置で停止させると共に露光装置３０から電子ペーパ１０を排出する際のゲートとして機能する第２のストッパ３８とを備えている。
【００１８】
（トレイの構成）
トレイ４０は、露光装置３０からの電子ペーパ１０を複数枚収納可能なスペースを有する本体４１と、本体４１の電子ペーパ１０の入り側に設けられた搬送ローラ４２を備えて構成されている。
【００１９】
（可倒式従動ローラ列の詳細構成）
図２は、図１に示す露光装置のＡ−Ａ線の断面を示す。第１の搬送部２０側の可倒式従動ローラ列３４とトレイ４０側の可倒式従動ローラ列３５とは、同様に構成されており、ここでは、第１の搬送部２０側の可倒式従動ローラ列３４について説明する。可倒式従動ローラ列３４は、水平位置と垂直位置の間を回動できるように可倒式に構成され、本体３１側に回転自在に取り付けられた回転軸３３１と、この回転軸３３１に結合された回転軸３３２と、この回転軸３３２の先端部および中間部に回転自在に取り付けられた従動ローラ３３３，３３４とを備える。可倒式従動ローラ列３４を水平位置と垂直位置の間で回動させるための駆動源には、電磁ソレノイド、エアシリンダ、モータ等を用いることができる。可倒式従動ローラ列３４は、退避時には点線位置にあり、電子ペーパ１０を第１の搬送部２０から搬入した後では実線位置になるように駆動される。なお、図２において、３９は、露光装置３０および第１の搬送部２０を覆うケースである。
【００２０】
（電子ペーパの層構成）
図３は、図２の電子ペーパ１０のＣ−Ｃ線の断面を示す。同図中、（ａ）は書込み方向と目視方向が反対である層構成の電子ペーパを示し、（ｂ）は書込み方向と目視方向が同一である層構成の電子ペーパを示す。
【００２１】
図３の（ａ）の構成について説明する。電子ペーパ１０は薄型矩形状を有し、対向配置されたＰＥＴ（ポリエチレンテレフタレート）フィルムからなる一対の基板１０１Ａ，１０１Ｂと、これらのそれぞれの内側に設けられたＩＴＯ（インジウム錫酸化物）からなる一対の透明電極１０２Ａ，１０２Ｂと、透明電極１０２Ａの内側に設けられ、印加電圧に応じて反射率（透過率）が変化するメモリ性を有する液晶、例えば、コレステリック液晶からなる液晶層１０３と、液晶層１０３の内側に設けられた光吸収層１０４と、光吸収層１０４と透明電極１０２Ｂの間に設けられ、書込みパターン光７０の照射によって抵抗値が小さくなる光導電層１０５と、透明電極１０２Ｂに一端が接続された延在部１０６とを備えて構成されている。
【００２２】
光導電層１０５は、２つの電荷発生層１０５ａ，１０５ｃと、これらの間に設けられた電荷輸送層１０５ｂとを備えて構成されている。電荷輸送層１０５ｂの両側に電荷発生層１０５ａ，１０５ｃを積層した構成とすることにより、液晶層１０３への交流電圧の印加が可能となり、液晶層１０３の劣化を抑えることができ、駆動電圧の低電圧化、表示記録媒体の高寿命化を実現することができる。
【００２３】
基板１０１Ａには、一対の開口１０８Ａ，１０８Ｂが設けられている。開口１０８Ａの内側の延在部１０６上には受電部１０７Ａが形成され、開口１０８Ｂの内側の透明電極１０２Ａの上端には受電部１０７Ｂが形成されている。
【００２４】
（電子ペーパへの書込み動作）
書込みパターン光７０は、基板１０１Ｂおよび透明電極１０２Ｂを通して光導電層１０５に照射される。光導電層１０５は、書込みパターン光７０の照射によって抵抗値が小さくなり、それにより光導電層１０５とのインピーダンス比で決まる液晶層１０３の分圧が増加し、一定以上の閾値を越えた電圧が印加された後、液晶層１０３における光反射率が大きい状態で保持される。
【００２５】
従って、電子ペーパ１０を表面１０ａから見た場合、書込みパターン光７０が照射された領域は、照明光７１を受けて液晶層１０３で反射し、表示光７２として白く見える。逆に、書込みパターン光７０が照射されていない領域は、光導電層１０５の抵抗値が大きくなり、液晶層１０３には閾値を越えない電圧が印加された後、液晶層１０３は光を透過する状態で保持される。この液晶層１０３を通過した光は、光吸収層１０４で吸収されるため、書込みパターン光７０が照射されていない領域は、黒く見える。
【００２６】
図３の（ａ）の電子ペーパ１０は、電子ペーパ１０に対する書込みパターン光７０の照射方向と、書込み後の画像を見る方向が逆になっている。従って、ユーザは、露光部３２から排出された電子ペーパ１０を裏返しにすることなく、電子ペーパ１０の上面をＥ方向から見れば、 直ちに画像内容を確認することができる。
【００２７】
（電子ペーパの他の層構成）
次に、図３の（ｂ）の電子ペーパ１０の構成について説明する。この電子ペーパ１０は、図３の（ａ）の電子ペーパ１０において、液晶層１０３と光導電層１０５の配置を入れ替えると共に、液晶層１０３と光吸収層１０４の間に隔離層１０９を設け、更に光吸収層１０４を透明電極１０２Ａの内側に配設した構成になっている。その他の構成は、図３の（ａ）の電子ペーパ１０と同じである。
【００２８】
図３の（ｂ）の電子ペーパ１０は、図３の（ａ）の電子ペーパ１０と同様の原理で書込みが行われる。ただし、書込みパターン光７０が、基板１０１Ｂ、液晶層１０３、および隔離層１０９を通して光導電層１０５に照射されること、および見る方向が書込みパターン光７０の照射方向と同じになる。
【００２９】
（プリンタの動作）
次に、図１〜図３を参照して、第１の実施の形態に係るプリンタ１の動作について説明する。
【００３０】
まず、１枚または複数枚の電子ペーパ１０を向きを合わせて第１の搬送部２０内の所定の位置にセットする。初期状態では、可倒式従動ローラ列３４，３５は図２の点線位置に退避している。画像書込開始ボタン（図示せず）が押されると、制御部の制御の下にエアシリンダ２４が動作し、押圧板２３が第１の搬送部２０内の複数の電子ペーパ１０を一括して図１の左側へ押圧する。同時に、エアシリンダ２４の動作に連動してローラ２２Ａ〜２２Ｇが一定量だけ回転する。
【００３１】
これに伴って、ベルト２１は電子ペーパ１０の１枚分の厚みの距離分だけ回転する。このピッチでベルト２１が断続的に回転することにより、第１の搬送部２０内の電子ペーパ１０は、露光装置３０側へ順次搬送される。
【００３２】
ベルト２１がローラ２２Ａ〜２２Ｇに楕円型を形成するように張架されているため、その端部には角度の大きい傾斜面が形成されている。したがって、ベルト２１の回転が進行し、最前面の電子ペーパ１０Ａがベルト２１の端部（図１の左端）まで移動すると、この電子ペーパ１０Ａは滑り落ちるように下降し、露光装置３０の本体３１の縁に直立し、更に、上端が非拘束であるために落下と共に回転力が生じて前方に倒れ、点線図示の電子ペーパ１０Ａ’の状態（縦位置状態から水平状態への変換）になり、更に、露光部３２上に倒れ、電子ペーパ１０Ａ”の状態になる。このとき、電子ペーパ１０の上部には第１のストッパ２５が配置されているため、２枚目以後の電子ペーパ１０は、第１のストッパ２５で直立状態が保持されるので、倒れることはない。
【００３３】
電子ペーパ１０Ａが露光部３２上に倒れたことを図示しないセンサが検出すると、制御部によって可倒式従動ローラ列３４，３５は垂直位置から水平位置に駆動され、図２のように、従動ローラ３３３，３３４が電子ペーパ１０の表面１０ａを押圧する。これにより、電子ペーパ１０の裏面１０ｂは露光部３２の表面に密着する。
【００３４】
ついで、制御部は、図示しないモータを駆動して駆動ローラ３６，３７を回転させ、これに伴って可倒式従動ローラ列３４，３５の従動ローラ３３３，３３４も回転し、電子ペーパ１０は僅かに前進して第２のストッパ３８に当接する。電子ペーパ１０が第２のストッパ３８に当接したことを図示しないセンサが検出すると、制御部は、図示しないモータの駆動を停止して駆動ローラ３６，３７の回転を停止させる。なお、第１の搬送部２０によって電子ペーパ１０が姿勢を変更したときに電子ペーパ１０の先端面が第２のストッパ３８に当接するようにしてもよい。
【００３５】
続いて制御部は、露光部３２の液晶ディスプレイ３２Ａおよびバックライト３２Ｂを動作させると共にパルス電源回路を動作させ、電子ペーパ１０の受電部１０７Ａ，１０７Ｂに電圧を印加する。画像データに基づいて液晶ディスプレイ３２Ａが駆動されると、液晶ディスプレイ３２Ａは、電子ペーパ１０の裏面１０ｂに向けて書込みパターン光７０を照射する。
【００３６】
図３のように、書込みパターン光７０は、基板１０１Ｂおよび透明電極１０２Ｂを通して光導電層１０５に照射され、上記した書込みの原理によって電子ペーパ１０への画像の書込みが行われると、可倒式従動ローラ列３４，３５を水平位置から垂直位置に駆動し、更に、図示せぬ電磁ソレノイドにより第２のストッパ３８を上昇させる。ついで、駆動ローラ３６，３７および搬送ローラ４２を回転させ、露光部３２上の電子ペーパ１０Ａ”をトレイ４０へ搬送する。
【００３７】
その後、第１の搬送部２０のエアシリンダ２４およびベルト２１が駆動され、第１の搬送部２０に残された複数の電子ペーパ１０の内の最前部の電子ペーパ１０が電子ペーパ１０Ａの位置にセットされた後、上記した様にして露光部３２上に搬入され、更に、露光部３２で露光が行われ、トレイ４０に搬入する処理が、第１の搬送部２０内の電子ペーパ１０が無くなるまで繰り返し実行される。
【００３８】
（第１の実施の形態の効果）
この第１の実施の形態によれば、以下の効果が得られる。
（イ）電子ペーパ１０はベルト２１によって１枚ずつ垂直姿勢から露光部３２上へ倒れこんむようにして搬入されるため、露光部３２への搬入に際して電子ペーパ１０の表裏面に汚れや擦れによる疵の発生を無くすることができる。
（ロ）電子ペーパ１０の搬送、書込み、収納の自動化が可能であるので、多数の電子ペーパ１０を連続的に書き込むことができる。
（ハ）第１の搬送部２０から書込み位置までの距離が短いので、処理速度を上げることができる。
（ニ）電子ペーパ１０は、柔軟性を有する材料から形成されているので、曲げ半径の小さなペーパパスが可能であり、各種の画像書込装置に使用することが可能となる。
（ホ）露光部３２に電子ペーパ１０を密着する手段には、搬送のための可倒式従動ローラ列３４，３５を兼用しているため、専用の押し部材が不要になり、従って構成の簡略化が可能になる。
【００３９】
［第２の実施の形態］
図４は、本発明の第２の実施の形態に係るプリンタの構成を示す正面断面図である。なお、同図においては、図２に示すケース３９の図示を省略している。本実施の形態における第１の搬送部２０は、複数の電子ペーパ１０を縦位置で保持する一対のタイミングベルト２６Ａ，２６Ｂと、タイミングベルト２６Ａ，２６Ｂの一端を回転可能に支持すると共にそれぞれのタイミングベルト２６Ａ，２６Ｂを回転駆動する駆動プーリ２７Ａ，２７Ｂと、タイミングベルト２６Ａ，２６Ｂの他端を支持する従動プーリ２８Ａ，２８Ｂとを備えて構成されている。
【００４０】
タイミングベルト２６Ａ，２６Ｂは、裏面には内歯２６ａが形成され、表面には一定間隔に外歯２６ｂが形成されており、外歯２６ｂの間の凹部に１枚の電子ペーパ１０が縦位置で係止される。第１の搬送部２０以外は、第１の実施の形態と同様に構成されている。
【００４１】
（第２の実施の形態の動作）
図４の右側から手動又は自動により、電子ペーパ１０を回転中のタイミングベルト２６Ａ，２６Ｂの間に挿入すると、タイミングベルト２６Ａ，２６Ｂの上下の凹部内に１枚の電子ペーパ１０が嵌め込まれ、その状態のままタイミングベルト２６Ａ，２６Ｂの回転速度で図示の左側へ移動する。
【００４２】
タイミングベルト２６Ａ，２６Ｂによる搬送によって、電子ペーパ１０がタイミングベルト２６Ａ，２６Ｂの端部に到達すると、電子ペーパ１０（１０Ａ）は、その上端がタイミングベルト２６Ａから開放される。しかし、この時点では、下端が拘束されているため、電子ペーパ１０Ａの上端だけが押し出され、電子ペーパ１０Ａ、電子ペーパ１０Ａ’のように傾きながら約９０度回転して露光部３２上へ落下し、電子ペーパ１０Ａ”の状態になる。
【００４３】
電子ペーパ１０が露光部３２上に倒れたことを検出すると、第１の実施の形態で説明したように、可倒式従動ローラ列３４，３５が制御部によって垂直位置から水平位置に駆動され、従動ローラ３３３，３３４が電子ペーパ１０の表面１０ａを押圧し、電子ペーパ１０の裏面１０ｂは露光部３２の表面に密着する。
【００４４】
ついで、制御部は、露光部３２の液晶ディスプレイ３２Ａおよびバックライト３２Ｂを動作させ、更にパルス電源回路を動作させる。ついで、画像データに基づいて液晶ディスプレイ３２Ａが駆動されることにより、液晶ディスプレイ３２Ａから電子ペーパ１０の裏面１０ｂに向けて書込みパターン光７０が照射され、第１の実施の形態で説明したように、電子ペーパ１０への画像の書込みが行われる。その後、制御部は、可倒式従動ローラ列３４，３５を水平位置から垂直位置に駆動し、更に、図示せぬ電磁ソレノイドにより第２のストッパ３８を上昇させる。駆動ローラ３６，３７および搬送ローラ４２が回転することにより、露光部３２上の電子ペーパ１０Ａ”はトレイ４０へ搬送される。
【００４５】
以後、第１の搬送部２０のタイミングベルト２６Ａ，２６Ｂが回転駆動され、第１の搬送部２０に残された複数の電子ペーパ１０の内の最前面の電子ペーパ１０が、上記した様にして露光部３２上に搬入され、更に、露光部３２で露光が行われ、トレイ４０に搬入する処理が、第１の搬送部２０内の電子ペーパ１０が無くなるまで繰り返し実行される。
【００４６】
（第２の実施の形態の効果）
この第２の実施の形態によれば、以下の効果が得られる。
（イ）電子ペーパ１０はタイミングベルト２６Ａ，２６Ｂによって１枚ずつ垂直姿勢から露光部３２上へ倒れ込むようにして搬入されるため、第１の実施の形態と同様に、露光部３２への搬入に際して電子ペーパ１０の表裏面に汚れや擦れによる疵の発生を無くすることができる。
（ロ）複数の電子ペーパ１０はタイミングベルト２６Ａ，２６Ｂの外歯２６ｂ間に所定の間隔を設けて保持されるので、電子ペーパ１０同士が擦れるを防止することができる。
（ハ）電子ペーパ１０の搬送をタイミングベルト２６Ａ，２６Ｂによって行うため、第１の実施の形態で必要とした押圧板２３やエアシリンダ２４、第１のストッパ２５が不必要になり、構成が簡略化できると共にコストダウンが可能になる。
【００４７】
［第３の実施の形態］
図５は、本発明の第３の実施の形態に係るプリンタの構成を示す正面断面図である。この第３の実施の形態は、第１の実施の形態において、露光部３２に代えてプロジェクタ５０を用いたところに特徴がある。他は、第１の実施の形態と同様に構成れている。
【００４８】
露光部３２を用いないことにより、書込み位置を特定できなくなるので、コンタクトガラス５１を書込み位置に設置している。プロジェクタ５０は、書込み位置の電子ペーパ１０の書込み領域（裏面１０ｂ）が略照射範囲になるようにコンタクトガラス５１との間の距離を設定して、コンタクトガラス５１の上方に設置される。
【００４９】
（第３の実施の形態の動作）
電子ペーパ１０への書込み方向は、プロジェクタ５０が書込み位置の上方に設けられており、電子ペーパ１０の上方から画像光が照射されるため、書込みパターン光７０は第１、第２の実施の形態とは逆になる。そこで、電子ペーパ１０のそれぞれは、図３の電子ペーパ１０の裏面１０ｂを押圧板２３側に向けて第１の搬送部２０にセットする。また、この段階では、可倒式従動ローラ列３４，３５は図２の点線の垂直位置に退避している。
【００５０】
画像の書込み動作の開始により、エアシリンダ２４およびローラ２２Ａ〜２２Ｇが動作し、最前面の１枚がコンタクトガラス５１上に倒れ込むことにより、書込み位置にセットされ、電子ペーパ１０Ａ”の状態となる。
【００５１】
電子ペーパ１０がコンタクトガラス５１上に搬送されたことを制御部が検出すると、制御部は可倒式従動ローラ列３４，３５を垂直位置から水平位置に駆動し、電子ペーパ１０の表面１０ａをコンタクトガラス５１の表面に密着させる。ついで、プロジェクタ５０を動作させ、電子ペーパ１０の裏面１０ｂに向けて書込みパターン光７０を照射し、上記した書込みの原理によって電子ペーパ１０への画像の書込みが行われると、可倒式従動ローラ列３４，３５を水平位置から垂直位置に駆動し、更に、図示せぬ電磁ソレノイドにより第２のストッパ３８を上昇させる。ついで、駆動ローラ３６，３７および搬送ローラ４１を回転させ、露光部３２上の電子ペーパ１０Ａ”をトレイ４０へ搬送する。
【００５２】
その後、第１の搬送部２０のエアシリンダ２４および可倒式従動ローラ列３４，３５が駆動され、第１の搬送部２０に残された複数の電子ペーパ１０の内の最前部の電子ペーパ１０が電子ペーパ１０Ａの位置にセットされた後、上記した様にしてコンタクトガラス５１上に搬入され、更に、プロジェクタ５０による露光が行われ、トレイ４０に搬入する処理が、第１の搬送部２０内の電子ペーパ１０が無くなるまで繰り返し実行される。
【００５３】
（第３の実施の形態の効果）
この第３の実施の形態によれば、以下の効果が得られる。
（イ）電子ペーパ１０はベルト２１によって１枚ずつ垂直姿勢からコンタクトガラス５１上へ倒し込むようにして搬入されるため、第１の実施の形態と同様にコンタクトガラス５１への搬入に際して電子ペーパ１０の表裏面に汚れや擦れによる疵の発生を無くすることができる。
（ロ）プロジェクタ５０を用いて露光を行うため、配置に自由度がある。
【００５４】
なお、プロジェクタ５０は、コンタクトガラス５１の下側に配置し、コンタクトガラス５１を通して書込みパターン光７０を電子ペーパ１０に照射するようにしてもよい。
【００５５】
［第４の実施の形態］
図６は、本発明の第４の実施の形態に係るプリンタの構成を示す正面断面図である。なお、同図においては、図２に示すケース３９の図示を省略している。この第４の実施の形態は、第２の実施の形態において、露光装置３０の代わりにプロジェクタ５０を用いたものであり、露光装置３０の位置にトレイ４０を配置し、プロジェクタ５０を図６中左側に配置したものである。
【００５６】
（第４の実施の形態の動作）
第２の実施の形態と同様に、第１の搬送部２０のタイミングベルト２６Ａ，２６Ｂの上下の凹部内に複数枚の電子ペーパ１０を嵌め込み、その状態のままタイミングベルト２６Ａ，２６Ｂの回転速度で図示の左側へ移動する。
【００５７】
タイミングベルト２６Ａ，２６Ｂによる搬送によって、電子ペーパ１０がタイミングベルト２６Ａ，２６Ｂの端部に到達すると、制御部は、駆動プーリ２７Ａ，２７Ｂの駆動を停止し、電子ペーパ１０（１０Ａ）は、その位置で停止する。
【００５８】
続いて制御部は、プロジェクタ５０を動作させ、更にパルス電源回路を動作させる。ついで、画像データに基づいてプロジェクタ５０が駆動されることにより、プロジェクタ５０から電子ペーパ１０の裏面１０ｂに向けて書込みパターン光７０が照射され、第１の実施の形態で説明したように、電子ペーパ１０への画像の書込みが行われる。その後、制御部は、駆動プーリ２７Ａ，２７Ｂの駆動してタイミングベルト２６Ａ，２６Ｂを走行させると、電子ペーパ１０Ａは、１０Ａ’，１０Ａ”へと姿勢を変更しながらトレイ４０へ搬送される。
【００５９】
以後、第１の搬送部２０のタイミングベルト２６Ａ，２６Ｂが回転駆動され、第１の搬送部２０に残された複数の電子ペーパ１０の内の最前面の電子ペーパ１０が、上記した様にしてプロジェクタ５０によって露光が行われ、トレイ４０に搬入する処理が、第１の搬送部２０内の電子ペーパ１０が無くなるまで繰り返し実行される。
【００６０】
（第４の実施の形態の効果）
この第４の実施の形態によれば、複数の電子ペーパ１０は相互に接触することなく水平方向へ移動し、１枚のみが倒れるようにしてトレイ４０に搬入されるため、電子ペーパ１０同士が擦られるのを防止することができる。また、エアシリンダ、押し板等の押出し機構が不要になるため、構成の簡略化、軽量化、コストダウン等が可能になる。
【００６１】
［他の実施の形態］
なお、本発明は、上記各実施の形態に限定されず、その要旨を変更しない範囲内で種々な変形が可能である。例えば、各実施の形態間の構成要素の組合せは任意に行うことができる。例えば、第２の実施の形態の第１の搬送部２０と第３の実施の形態のプロジェクタ５０の組合せが考えられる。
【００６２】
また、メモリ性を有する表示記録媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式を用いてもよい。
【００６３】
また、露光部３２には液晶ディスプレイを用いたが、ほかに、ＣＲＴディスプレイ、プラズマディスプレイなど、電子ペーパ１０の書込領域と略等倍の表示領域を有するディスプレイを用いることができる。
【００６４】
また、上記プロジェクタ５０に代えてＣＲＴディスプレイ、プラズマディスプレイ等の表示装置と結像光学系を組み合わせた投影装置により、表示装置からの画像光を電子ペーパ１０の書込み領域に結像させてもよい。
【図面の簡単な説明】
【００６５】
【図１】本発明の第１の実施の形態に係る電子ペーパプリンタの構成を示す正面断面図である。
【図２】図１に示す露光装置のＡ−Ａ線の断面図である。
【図３】図２の電子ペーパのＢ−Ｂ線の断面を示し、（ａ）は書込み方向と目視方向が反対である層構成の電子ペーパの断面図、（ｂ）は書込み方向と目視方向が同一である層構成の電子ペーパの断面図を示す。
【図４】本発明の第２の実施の形態に係る電子ペーパプリンタの正面断面図である。
【図５】本発明の第３の実施の形態に係る電子ペーパプリンタの正面断面図である。
【図６】本発明の第４の実施の形態に係る電子ペーパプリンタの正面断面図である。
【符号の説明】
【００６６】
１  電子ペーパプリンタ
１０，１０Ａ，１０Ａ’，１０Ａ”  電子ペーパ
１０ａ  表面
１０ｂ  裏面
２０  搬送部
２１  ベルト
２２Ａ〜２２Ｇ  ローラ
２３  押圧板
３０  露光装置
２４  エアシリンダ
２５  第１のストッパ
２６Ａ，２６Ｂ  タイミングベルト
２６ａ  内歯
２６ｂ  外歯
２７Ａ，２７Ｂ  駆動プーリ
２８Ａ，２８Ｂ  従動プーリ
３１  本体
３２  露光部
３２Ａ  液晶ディスプレイ
３２Ｂ  バックライト
３３  搬送部
３４，３５  可倒式従動ローラ列
３６，３７  駆動ローラ
３８  第２のストッパ
３９  ケース
４０  トレイ
４１  本体
４２  搬送ローラ
５０  プロジェクタ
５１  コンタクトガラス
７０  書込みパターン光
７１  照明光
７２  表示光
１０１Ａ，１０１Ｂ  基板
１０２Ａ，１０２Ａ  透明電極
１０３  液晶層
１０４  光吸収層
１０５  光導電層
１０５ａ，１０５ｃ  電荷発生層
１０５ｂ  電荷輸送層
１０６  延在部
１０７Ａ，１０７Ｂ  受電部
１０８Ａ，１０８Ｂ  開口
１０９  隔離層
３３１，３３２  回転軸
３３３，３３４  従動ローラ
【図１】
2005309017.tif 000003
【図２】
2005309017.tif 000004
【図３】
2005309017.tif 000005
【図４】
2005309017.tif 000006
【図５】
2005309017.tif 000007
【図６】
2005309017.tif 000008